(57)【要約】【課題】  画像処理装置において、言語設定及び時差設定を容易に行う。【解決手段】  漢字やアルファベットなどの文字または国旗を撮影することで文字または国旗の国を判別し、言語設定または時差設定を設定する。【選択図】  図２
2008124900.tif 000002
【特許請求の範囲】
【請求項１】
撮影した静止画像及び動画像を記録媒体に記録及び再生表示する画像処理装置であって、
画像撮影用の画像取り込み手段と、
パターンを認識するパターン認識手段と、
状態の設定を行う設定手段を有し、
前記画像取り込み手段を用いて撮影した画像から、前記パターン認識手段によりパターンを認識し、前記設定手段を用いて画像処理装置の状態設定を行うことを特徴とする画像処理装置。
【請求項２】
請求項１の画像処理装置において、
撮影情報や警告を表示する補助情報表示手段を有し、
前記パターン認識手段は文字認識手段であり、
前記設定手段は言語設定手段であり、
前記画像取り込み手段を用いて撮影した文字を、前記文字認識手段により認識し、前記言語設定手段を用いて識別した文字に対応する言語へ設定を行い、前記補助情報表示手段により設定した言語を用いて表示することを特徴とする画像処理装置。
【請求項３】
時計機能を有する請求項１の画像処理装置において、
前記パターン認識手段は文字認識手段であり、
前記設定手段は時差設定手段であり、
前記画像取り込み手段を用いて撮影した文字を、前記文字認識手段により認識し、前記時差設定手段を用いて認識した国との時差を演算し設定を行うことを特徴とする画像処理装置。
【請求項４】
請求項１の画像処理装置において、
撮影情報や警告を表示する補助情報表示手段を有し、
前記パターン認識手段は画像認識手段であり、
前記設定手段は言語設定手段であり、
前記画像取り込み手段を用いて撮影した国旗の画像を、前記画像認識手段により認識し、前記言語設定手段を用いて識別した国旗の画像に対応する言語へ設定を行い、前記補助情報表示手段により設定した言語を用いて表示することを特徴とする画像処理装置。
【請求項５】
時計機能を有する請求項１の画像処理装置において、
前記パターン認識手段は画像認識手段であり、
前記設定手段は時差設定手段であり、
前記画像取り込み手段を用いて撮影した国旗の画像を、前記画像認識手段により認識し、前記時差設定手段を用いて認識した国との時差を演算し設定を行うことを特徴とする画像処理装置。
【発明の詳細な説明】
【技術分野】
【０００１】
本発明は、静止画像や動画像を撮影、記録、再生する画像処理装置の言語設定及び時差設定方法に関する。
【背景技術】
【０００２】
近年、画像処理装置が世界の国々で急速に普及してきている。そのため、様々な国の人々に使用されるので、多くの画像処理装置は言語設定が可能である。また、多くの画像処理装置は時計が内蔵されている。時差の設定は、海外旅行に持って行くといった、２つ以上の国で使用する場合に利用される。
【０００３】
しかし、従来の画像処理装置では、言語設定や時差設定を設定する方式として、液晶画面とボタンを用いて行う方法が取られていた。
【０００４】
また、従来の技術には、外部の時計を撮影することで、現在時刻を検知し、内蔵時計の時刻設定を行う機能を施したものがある（例えば、特許文献１参照。）。
【特許文献１】特開2006-58040号公報
【発明の開示】
【発明が解決しようとする課題】
【０００５】
しかしながら、上記のような、言語設定や時差設定の液晶画面とボタンを用いた設定方法では操作方法が複雑になり、また、設定に時間がかかるという問題があった。工場において出荷時の言語設定の初期設定を行う場合は、出荷する国ごとに液晶画面とボタンを用いて行っており、設定するための時間及び人件費などのコストがかかるという問題があった。
【０００６】
また、上記のような、外部の時計を撮影することで、現在時刻を検知し、内蔵時計の時刻設定を行う方法では、時刻設定は可能であるが、言語設定や時差設定は行えない。
【課題を解決するための手段】
【０００７】
上記目的を達成するため、本出題に係る発明は、
撮影した静止画像及び動画像を記録媒体に記録及び再生表示する画像処理装置であって、
画像撮影用の画像取り込み手段と、
パターンを認識するパターン認識手段と、
状態の設定を行う設定手段を有し、
前記画像取り込み手段を用いて撮影した画像から、前記パターン認識手段によりパターンを認識し、前記設定手段を用いて画像処理装置の状態設定を行うことを特徴としている。
【０００８】
また、本発明のその他の特徴とするところは、
撮影情報や警告を表示する補助情報表示手段を有し、
前記パターン認識手段は文字認識手段であり、
前記設定手段は言語設定手段であり、
前記画像取り込み手段を用いて撮影した漢字やアルファベットなどの文字を、前記文字認識手段により認識し、前記言語設定手段を用いて識別した文字に対応する言語へ設定を行い、前記補助情報表示手段により設定した言語を用いて表示することを特徴としている。
【０００９】
また、本発明のその他の特徴とするところは、
時計機能を有し、
前記パターン認識手段は文字認識手段であり、
前記設定手段は時差設定手段であり、
前記画像取り込み手段を用いて撮影した漢字やアルファベットなどの文字を、前記文字認識手段により認識し、前記時差設定手段を用いて認識した国との時差を演算し設定を行うことを特徴としている。
【００１０】
また、本発明のその他の特徴とするところは、
撮影情報や警告を表示する補助情報表示手段を有し、
前記パターン認識手段は画像認識手段であり、
前記設定手段は言語設定手段であり、
前記画像取り込み手段を用いて撮影した国旗の画像を、前記画像認識手段により認識し、前記言語設定手段を用いて識別した国旗の画像に対応する言語へ設定を行い、前記補助情報表示手段により設定した言語を用いて表示することを特徴としている。
【００１１】
また、本発明のその他の特徴とするところは、
時計機能を有し、
前記パターン認識手段は画像認識手段であり、
前記設定手段は時差設定手段であり、
前記画像取り込み手段を用いて撮影した国旗の画像を、前記画像認識手段により認識し、前記時差設定手段を用いて認識した国との時差を演算し設定を行うことを特徴としている。
【発明の効果】
【００１２】
以上説明したように、本発明によれば、通常の撮影と全く同じ手順で言語設定及び時差設定を画像処理装置に設定することができ、簡単な操作で素早く設定することができる。工場における言語の初期設定においても、簡単な操作で素早く設定することができるので、設定時間の短縮や人件費などのコスト削減につながる。海外旅行に行っても、煩わしい時差設定が簡単な操作で素早く設定することができるので、設定時間の短縮が可能となる。
【発明を実施するための最良の形態】
【００１３】
（実施例１）
以下、図面を参照して本発明の実施例を説明する。
【００１４】
図１は、本発明の実施例の構成を示す図である。
【００１５】
図1において、１００は画像処理装置である。
【００１６】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１７】
１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータ或いはメモリ制御回路２２からのデータに対して所定の画素補間処理や色変換処理を行う。
【００１９】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００２０】
さらに、画像処理回路２０においては、撮像した画像データを用いて所定の演算処理を行い、得られた演算結果に基づいてTTL方式のAWB（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２３】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２４】
画像表示部２８を用いて撮像した画像データを逐次表示すれば、電子ファインダー機能を実現することが可能である。
【００２５】
また、画像表示部２８は、システム制御回路５０の指示により任意に表示をON/OFFすることが可能であり、表示をOFFにした場合には画像処理装置１００の電力消費を大幅に低減することが出来る。
【００２６】
３０は撮影した静止画像や動画像を格納するためのメモリであり、所定枚数の静止画像や所定時間の動画像を格納するのに十分な記憶量を備えている。
【００２７】
これにより、複数枚の静止画像を連続して撮影する連射撮影やパノラマ撮影の場合にも、高速かつ大量の画像書き込みをメモリ３０に対して行うことが可能となる。
【００２８】
また、メモリ３０はシステム制御回路５０の作業領域としても使用することが可能である。
【００２９】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３０】
４０は絞り機能を備えるシャッター１２を制御する露光制御手段であり、フラッシュ４８と連携することによりフラッシュ調光機能も有するものである。
【００３１】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３２】
４８はフラッシュであり、AF補助光の投光機能、フラッシュ調光機能も有する。
【００３３】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３４】
５０は画像処理装置１００全体を制御するシステム制御回路、５２はシステム制御回路５０の動作用の定数、変数、プログラム等を記憶するメモリである。
【００３５】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００３６】
また、表示部５４は、その一部の機能が光学ファインダー１０４内に設置されている。
【００３７】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００３８】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３９】
５６は電気的に消去・記録可能な不揮発性メモリであり、例えばEEPROM等が用いられる。
【００４０】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４１】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４２】
６２はシャッタースイッチSW1で、シャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００４３】
６４はシャッタースイッチSW2で、シャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４４】
６６は画像表示ON/OFFスイッチで、画像表示部２８のON/OFFを設定することが出来る。
【００４５】
この機能により、光学ファインダー１０４を用いて撮影を行う際に、TFT LCD等から成る画像表示部への電流供給を遮断することにより、省電力を図ることが可能となる。
【００４６】
６８は単写/連写スイッチで、シャッタースイッチSW2を押した場合に１駒の撮影を行って待機状態とする単写モードと、シャッタースイッチSW2を押している間は連続して撮影を行い続ける連写モードとを設定することが出来る。
【００４７】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付/時間設定ボタン、プリント出力ボタン、記録ボタン、ズームレバー（望遠・広角）、十字ボタン（上、下、左、右）等がある。
【００４８】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００４９】
８２はコネクタ、８４はコネクタ、８６はアルカリ電池やリチウム電池等の一次電池やNiCd電池やNiMH電池、Li電池等の二次電池、ACアダプター等からなる電源手段である。
【００５０】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５１】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５２】
インターフェース及びコネクタとしては、PCMCIAカードやCF（コンパクトフラッシュ（登録商標））カード等の規格に準拠したものを用いて構成して構わない。
【００５３】
さらに、インタフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５４】
１０２は、画像処理装置１００のレンズ１０を含む撮像部を覆う事により、撮像部の汚れや破損を防止するバリアである保護手段である。
【００５５】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５６】
１１０は通信手段で、RS232CやUSB、IEEE1394、P1284、SCSI、モデム、LAN、無線通信、等の各種通信機能を有する。
【００５７】
１１２は通信手段１１０により画像処理装置１００を他の機器と接続するコネクタ或いは無線通信の場合はアンテナである。
【００５８】
２００はメモリカードやハードディスク等の記録媒体である。
【００５９】
記録媒体２００は、半導体メモリや磁気ディスク等から構成される記録部２０２、画像処理装置１００とのインタフェース２０４、画像処理装置１００と接続を行うコネクタ２０６を備えている。
【００６０】
２１０はメモリカードやハードディスク等の記録媒体である。
【００６１】
記録媒体２１０は、半導体メモリや磁気ディスク等から構成される記録部２１２、画像処理装置１００とのインタフェース２１４、画像処理装置１００と接続を行うコネクタ２１６を備えている。
【００６２】
図２を参照して、実施例の動作を説明する。図２は実施例の動作の流れを示したフローチャートである。
【００６３】
まず、モードダイアルスイッチ６０を回し、設定モードにし（ステップ３００）、言語設定モードまたは時差設定モードを選択する（ステップ３０２）。
【００６４】
次に、画像撮影を行う（ステップ３０３、３０８）。ここで、ユーザーは、言語設定または時差設定したい国の文字または国旗をあらかじめ、見つけておく。例えば、言語設定を日本語に、または時差設定を日本に設定したいのであれば、ひらがな・カタカナ・漢字などの日本語または日本の国旗を見つけておく。言語設定を英語に、または時差設定をイギリスに設定したいのであれば、アルファベットなどの英語またはイギリスの国旗を見つけておく。言語設定を中国語に、または時差設定を中国に設定したいのであれば、漢字などの中国語または中国の国旗を見つけておく。言語設定モードと時差設定モードのどちらの場合も、通常の撮影と同様にシャッタースイッチSW2を押してあらかじめ見つけておいた文字または国旗の撮影を行う。
【００６５】
撮影後、表示部５４に撮影した画像が表示され、文字または国旗がカーソルでハイライト表示される。このとき、撮影した画像に国旗または言語がない場合は、画像撮影に戻る（ステップ３０４、３０９）。複数の種類の文字や国旗がある場合は、任意の文字または国旗を選択することができる（ステップ３０５、３１０）。例えば、図３のように、おはよう４００、HELLO４０１、（ニイハオ）４０２の中からカーソル４０３を操作部７０の十字ボタンで動かし、任意の文字を選択することができる。また、図４のように、国旗５００、国旗５０１、国旗５０２の中からカーソル５０３を操作部７０の十字ボタンで動かし、任意の国旗を選択することができる。操作部７０のセットボタンで文字または国旗の選択を決定する。
【００６６】
選択された文字または国旗から国が判別される（ステップ３０６、３１１）。ここで、一つの文字に対して一つの国がある場合は、その国であると判別される。一つの文字に対して複数の国がある場合は、該当する国の候補が表示される。例えば、図５のように、英語のアルファベット６００を撮影した場合、イギリス６０１のみではなく、アメリカ６０２、カナダ６０３などの英語圏の国の候補が表示される。
【００６７】
操作部７０の十字ボタンで矢印６０４を動かして選択、セットボタンで決定することで、国が決定され、言語設定または時差設定が行われる（ステップ３０７、３１２）。時差設定において、一つの国に対して、タイムゾーンが一つの場合は、そのタイムゾーンの時差が現在時刻に反映される。一つの国に対して、タイムゾーンが複数ある場合は、そのタイムゾーンと時差の候補が表示される。例えば、図６のように、タイムゾーンが複数ある国であるアメリカ７０１の国旗または言語を撮影した場合、ＰＳＴ７０２、ＭＳＴ７０３、ＣＳＴ７０４、ＥＳＴ７０５などのタイムゾーンの候補が表示される。また、言語設定において、一つの国に対して、言語が一つの場合は、その言語が設定される。一つの国に対して、言語が複数ある場合は、その言語の候補が表示される。例えば、図７のように、公用語が複数ある国であるカナダ８０１の国旗または言語を撮影した場合、英語８０２、フランス語８０３などの言語の候補が表示される。
【００６８】
時差設定について説明する。時差とは現在設定されている国の時刻とその他の国の標準時との時間差である。時差設定は現在設定されている時刻から設定したい国との時差を考慮して時刻設定するもので、設定したい国の時刻を直接設定するものではない。
【００６９】
ここで、パターン認識の方法について説明する。図８はパターン認識の方法を示したフローチャートであり、図２のステップ３０３〜３０４及びステップ３０８〜３０９の間に相当する。この画処理装置で用いているパターン認識は、文字を認識するための文字認識及び、国旗を認識するための画像認識である。パターン認識を行うために、あらかじめメモリ３０に漢字やアルファベットなどの文字または国旗のパターン及び特徴が記録されている。文字または国旗を含む画像を撮影する（ステップ９００）。撮影した画像とメモリ３０に記録されている文字または国旗のパターンとを重ね合わせ、比較する（ステップ９０１）。一致するパターンがある場合はそのパターンを候補とし、さらに色や形などの特徴に当てはまるかを比較し（ステップ９０２）、さらに特徴と一致すれば撮影した画像が文字または国旗であると認識する（ステップ９０３）。必要に応じて撮影した画像をパースペクティブ補正、色調補正を行うことでより正確な認識を可能とする。一致しない場合は、画像の撮影前にもどる。
【００７０】
撮影した画像に写っている文字または国旗が遠近方向に斜めに歪んでいる場合はパースペクティブ補正を行う。撮影時のホワイトバランスが適切でなく、パターン認識が困難な場合はＲＧＢのカラーバランスを修正し、適切な色調となるように色調補正をかける。
【００７１】
実施例の形態によれば、言語設定または時差設定を簡単迅速に行うことができる。
【００７２】
本実施例では、文字または国旗を判別したが、手書きの文字や国旗などであっても、ＣＣＤで判別可能ならよい。
【図面の簡単な説明】
【００７３】
【図１】本発明の実施例の構成ブロック図である。
【図２】本実施例のフローチャートである。
【図３】本実施例において、表示部５４に表示される、撮影した文字の選択画面の例である。
【図４】本実施例において、表示部５４に表示される、撮影した国旗の選択画面の例である。
【図５】本実施例において、表示部５４に表示される、撮影した文字に対する言語の選択画面の例である。
【図６】本実施例において、表示部５４に表示される、判別された国に対するタイムゾーンの選択画面の例である。
【図７】本実施例において、表示部５４に表示される、判別された国に対する言語の選択画面の例である。
【図８】本実施例において、パターン認識の方法のフローチャートである。
【符号の説明】
【００７４】
１００  画像処理装置
１０  撮影レンズ
１２  絞り機能を備えるシャッター
１４  光学像を電気信号に変換する撮像素子
１６  Ａ／Ｄ変換器
１８  タイミング発生回路
２０  画像処理回路
２２  メモリ制御回路
２４  画像表示メモリ
２６  Ｄ／Ａ変換器
２８  TFT LCD等から成る画像表示部
３０  メモリ
３２  圧縮・伸長回路
４０  露光制御手段
４２  測距制御手段
４４  ズーム制御手段
４６  バリア制御手段
４８  フラッシュ
５０  システム制御回路
５２  メモリ
５４  液晶表示装置、スピーカー等の表示部
５６  不揮発性メモリ
６０  モードダイアルスイッチ
６２  シャッタースイッチSW1
６４  シャッタースイッチSW2
６６  画像表示ON/OFFスイッチ
６８  単写/連写スイッチ
７０  各種ボタンやタッチパネル等からなる操作部
１０２  保護手段
１０４  光学ファインダ
１１０  通信手段
１１２  コネクタ或いは無線通信の場合はアンテナ
２００  記録媒体
２１０  記録媒体
【図１】
2008124900.tif 000003
【図２】
2008124900.tif 000004
【図３】
2008124900.tif 000005
【図４】
2008124900.tif 000006
【図５】
2008124900.tif 000007
【図６】
2008124900.tif 000008
【図７】
2008124900.tif 000009
【図８】
2008124900.tif 000010